(57)【要約】      （修正有）【課題】バッグの紐体の肩への食い込みを防止する機能だけでなく、バッグの開口部をカバーする機能も有する肩当て部材を備えるバッグ、及びそれに用いる肩当て部材を提供する。【解決手段】上部に開口部を有するバッグ本体１１、バッグ本体１１の開口部端縁に両端部Ｔが接続された少なくとも１本の紐体１２、及び少なくとも１本の紐体１２に装着された、紐体１２の幅より広い幅を有する少なくとも１個の肩当て部材１３を備えるバッグ１０であって、肩当て部材１３が、少なくとも１本の紐体１２の中央部Ｃから両端部Ｔ近傍までスライド可能に装着されている。【選択図】図１
0003208153.tif 000002
【実用新案登録請求の範囲】
【請求項１】
上部に開口部を有するバッグ本体、前記バッグ本体の開口部端縁に両端部が接続された少なくとも１本の紐体、及び前記少なくとも１本の紐体に装着された、前記紐体の幅より広い幅を有する少なくとも１個の肩当て部材を備えるバッグであって、
前記肩当て部材が、前記少なくとも１本の紐体の中央部から両端部近傍までスライド可能に装着されていることを特徴とするバッグ。
【請求項２】
前記肩当て部材が、幅広面に少なくとも２個の貫通部を有し、
前記少なくとも１本の紐体の中央部が、前記肩当て部材の上方に位置し、
前記少なくとも１本の紐体の中央部から延在する両延在部が、前記肩当て部材の２個の貫通部のそれぞれに挿通している請求項１に記載のバッグ。
【請求項３】
前記肩当て部材の貫通部の少なくとも１個が、前記紐体の幅方向から着脱可能な構造を有する請求項２に記載のバッグ。
【請求項４】
前記バッグ本体が、前胴部、及び後胴部を有し、
前記前胴部、及び前記後胴部に、前記紐体を少なくとも１本ずつ備える請求項１〜３のいずれか１項に記載のバッグ。
【請求項５】
請求項１〜４のいずれか１項に記載のバッグに用いる肩当て部材。
【考案の詳細な説明】
【技術分野】
【０００１】
本考案は、バッグに関し、特にバッグの紐体の肩への食い込みを防止する機能だけでなく、バッグの開口部をカバーする機能も有する肩当て部材を備えるバッグに関する。
【背景技術】
【０００２】
ショルダーバッグ、ハンドバッグ等のバッグに備えられるショルダーストラップ、ハンドル等の紐体には、様々な長さ、幅、断面形状等を有する数多くの種類があり、バッグの用途、大きさ、デザイン等の種類に応じて選択される。この際、肩に掛けて使用するバッグに対して、デザイン的な観点から、比較的細い紐体を採用すると、バッグの収容物の重さによっては、使用者の肩に食い込んでしまい、使用者に不快感を与えることになる。この場合、紐体の肩に当たる部分に、より幅の広い肩当て等の部材を装着することによって、肩への食い込みを防止することは可能であるが、デザインに大きな影響を与え得る。
【０００３】
一方、バッグの開口部には、バッグの収容物を、落下や他人の視線から保護するため、或いは雨、雪等がバッグ内に入ることを防止するために開口部をカバーするための部材が備えられていることが多い。このような部材としては、一般に、ファスナー、マグネット、ボタン、ホック、ベルト・バックル等の留め具、及び／又はかぶせ蓋等が知られている。これらの部材の装着も、バッグのデザインに大きな影響を与え得る。
【考案の概要】
【考案が解決しようとする課題】
【０００４】
上述のように、バッグの用途等によっては、バッグの紐体の肩への食い込みを防止するための部材、及びバッグの開口部をカバーするための部材の両方とも必要な場合がある。しかしながら、デザイン上の制約が生じるため、バッグのデザインによっては、余計な部材をできるだけ装着しない手段が求められている。
【０００５】
したがって、本考案の目的は、バッグの紐体の肩への食い込みを防止する機能だけでなく、バッグの開口部をカバーする機能も有する肩当て部材を備えるバッグ、及びそれに用いる肩当て部材を提供することにある。
【課題を解決するための手段】
【０００６】
上記課題を解決するために、請求項１に係わる考案は、上部に開口部を有するバッグ本体、前記バッグ本体の開口部端縁に両端部が接続された少なくとも１本の紐体、及び前記少なくとも１本の紐体に装着された、前記紐体の幅より広い幅を有する少なくとも１個の肩当て部材を備えるバッグであって、前記肩当て部材が、前記少なくとも１本の紐体の中央部から両端部近傍までスライド可能に装着されていることを特徴とするバッグである。
【０００７】
本考案のバッグにおいては、前記紐体を肩に掛けて使用する際は、前記肩当て部材を、前記紐体の中央部、すなわち前記紐体が肩に当たる位置にスライドさせることで、バッグの紐体の肩への食い込みを防止する肩当て部材として機能させ、前記紐体を肩から外して使用する際は、前記肩当て部材を、前記紐体の両端部近傍、すなわちバッグ本体の開口部近傍にスライドさせることで、バッグ本体の開口部をカバーするカバー部材として機能させることができる。
【０００８】
請求項２に係わる考案は、請求項１に記載のバッグにおいて、前記肩当て部材が、幅広面に少なくとも２個の貫通部を有し、前記少なくとも１本の紐体の中央部が、前記肩当て部材の上方に位置し、前記少なくとも１本の紐体の中央部から延在する両延在部が、前記肩当て部材の２個の貫通部のそれぞれに挿通している。これにより、容易に、前記肩当て部材が、前記少なくとも１本の紐体の中央部から両端部近傍までスライド可能に装着された構造とすることができる。このような構造は、前記肩当て部材を、肩当て部材として使用する場合も、カバー部材として使用する場合も、容易に位置合せをすることができる。
【０００９】
請求項３に係わる考案は、請求項２に記載のバッグにおいて、前記肩当て部材の貫通部の少なくとも１個が、前記紐体の幅方向から着脱可能な構造を有する。これにより、前記肩当て部材を、前記少なくとも１本の紐体の、少なくとも一方の延在部から外すことができ、カバー部材として使用している状態から、容易にバッグ本体の開口部を開放し、収容物を確認したり、取り出したりすることができる。なお、前記肩当て部材の貫通部の着脱可能な構造は、少なくとも２個の貫通部の両方に備えられていてもよい。これにより、前記肩当て部材は、前記紐体から容易に取り外すことができる。
【００１０】
請求項４に係わる考案は、請求項１〜３のいずれか１項に記載のバッグにおいて、前記バッグ本体が、前胴部、及び後胴部を有し、前記前胴部、及び前記後胴部に、前記紐体を少なくとも１本ずつ備える。この場合、前記前胴部、及び前記後胴部に少なくとも１本ずつ備えられた紐体のそれぞれに肩当て部材を装着してもよく、前記前胴部、及び前記後胴部に少なくとも１本ずつ備えられた紐体の両方に対して、１個の肩当て部材を装着してもよい。１個の肩当て部材を装着する場合、請求項２に記載のように、少なくとも２個の貫通部を有する肩当て部材を用いることが好ましい。この場合、前記肩当て部材の少なくとも１個の貫通部に、前記前胴部、及び前記後胴部に少なくとも１本ずつ備えられた紐体の両方が挿通されていることがさらに好ましい。これにより、前記肩当て部材を、前記紐体の両端部近傍、すなわちバッグ本体の開口部近傍にスライドさせることで、前記前胴部、及び前記後胴部の紐体のそれぞれが、少なくともその一方の端部近傍で密着することになり、前記肩当て部材により、バッグ本体の開口部をカバーするだけでなく、バッグ本体の開口部を閉じる効果も得られる。さらにこの場合、前記肩当て部材は、請求項３に記載のように、貫通部の少なくとも１個が、前記紐体の幅方向から着脱可能な構造である肩当て部材を用いることが好ましい。これによりバッグ本体の開口部の開閉を容易に行なうことができる。
【００１１】
請求項５に係わる考案は、請求項１〜４のいずれか１項に記載のバッグに用いる肩当て部材である。
【考案の効果】
【００１２】
本考案によれば、バッグの紐体の肩への食い込みを防止する機能だけでなく、バッグの開口部をカバーする機能も有する肩当て部材により、デザインに大きな影響を与える部材の数を最小限にして、両方の機能を有するバッグを提供することができる。
【図面の簡単な説明】
【００１３】
【図１】本考案のバッグの第１の実施の形態を説明する斜視図であり、図１（ａ）は、バッグの紐体を肩に掛けて使用する状態を示し、図１（ｂ）は、紐体を肩から外して使用する状態を示す。
【図２】本考案のバッグの第２の実施の形態を説明する斜視図であり、図２（ａ）は、バッグの紐体を肩に掛けて使用する状態を示し、図２（ｂ）は、紐体を肩から外して使用する状態を示す。
【図３】本考案のバッグの第２の実施の形態の変形例を説明する斜視図である。
【図４】本考案のバッグにおける肩当て部材の実施の形態を説明する平面図である。
【図５】本考案のバッグにおいて、肩当て部材を、肩当て部材としても、カバー部材としても使用していない状態のバリエーションを説明する斜視図である。
【考案を実施するための形態】
【００１４】
（第１の実施の形態）
以下、本考案のバッグの第１の実施の形態について、図面を参照して詳細に説明する。図１は、本考案のバッグの第１の実施の形態を説明する斜視図であり、図１（ａ）は、バッグの紐体を肩に掛けて使用する状態を示し、図１（ｂ）は、紐体を肩から外して使用する状態を示す。図１におけるバッグ１０は、上部に開口部を有するバッグ本体１１、バッグ本体１１の開口部端縁に両端部Ｔが接続された１本の紐体１２、及び１本の紐体１２に装着された、紐体１２の幅より広い幅を有する肩当て部材１３を備える。肩当て部材１３は、図１（ａ）に示す通り、紐体１２を肩に掛けて使用する際は、紐体１２の中央部Ｃ、すなわち紐体１２が肩に当たる位置にスライドさせることで、肩当て部材として機能し、図１（ｂ）に示す通り、紐体１２を肩から外して使用する際は、紐体１２の両端部Ｔ近傍、すなわちバッグ本体の開口部近傍にスライドさせることで、バッグ本体１１の開口部をカバーするカバー部材として機能する。
【００１５】
図１においては、肩当て部材１３は、幅広面に２個の貫通部を有し、紐体１２の中央部Ｃが、肩当て部材１３の上方に位置し、紐体１２の中央部から延在する両延在部Ｅが、肩当て部材１３の２個の貫通部にそれぞれ挿通している。肩当て部材１３の紐体１２への装着は、紐体１２の中央部Ｃから両端部Ｔ近傍までスライド可能に装着されていれば、図１に示した装着手段でなくてもよい。例えば、肩当て部材１３の外側に接続した２個の革製リング（革紐を含む）、樹脂性リング、カラビナ様の金具等で、紐体１２に装着することもできる（図示していない）。肩当て部材１３の紐体１２への装着は、別の部材を用いることなく、容易に、肩当て部材１３を、紐体１２の中央部Ｃから両端部Ｔ近傍までスライド可能に装着でき、肩当て部材１３を、肩当て部材として使用する場合も、カバー部材として使用する場合も、容易に位置合せをすることができる点で、図１に示したような装着手段が好ましい。なお、本考案において、紐体１２の端部Ｔは、バッグ本体１１の開口部端縁に接続されている部分を称し、紐体１２が、バッグ本体１１の補強等の目的で、バッグ本体１１の開口部端縁よりも長く延在し、例えばバッグ本体１１の底部まで達している場合であっても、バッグ本体１１の開口部端縁に接続されている部分を紐体１２の端部Ｔと称する。
【００１６】
バッグ本体１１の形状、寸法は、本考案の効果が発揮されるものであれば、特に制限はない。例えば、図１においては、角底で、前胴部、後胴部、横マチを有しているが、丸底や楕円形の底部でもよく、周囲が筒状でもよく、横マチはなくてもよい。バッグ本体１１の材質にも特に制限はなく、通常バッグに使用される素材を用いることができる。例えば、革；合皮；ポリ塩化ビニル等の合成樹脂；紙；綿、麻、化学繊維等からなる織物；フェルト等の不織布；竹、籐等を編んだもの;金属、これらの組み合わせ等が挙げられる。
【００１７】
紐体１２の長さ、幅、断面形状は、本考案の効果が発揮されるものであれば、特に制限はない。紐体１２の立ち上がり（バッグ本体１１の開口部から紐体１２の中央部Ｃまでの距離）は、一般に１５〜６０ｃｍであり、バッグの用途、デザイン等に応じて適宜設計することができる。例えば、肩に掛けて使用するバッグ等では、１８〜２６ｃｍ程度であり、襷がけで使用するバッグ等では、より立ち上がりが長い紐体でもよく、腕に掛けて使用するバッグ等では、より立ち上がりが短い紐体でもよい。紐体１２の幅は、本考案が肩への食い込みが生じる場合に有効であるため、５ｍｍ〜２．５ｃｍが好ましく、５ｍｍ〜１．５ｃｍがさらに好ましい。紐体１２の断面形状は、例えば、円、楕円、矩形、多角形等が挙げられる。紐体１２の材質にも特に制限はなく、上述のバッグ本体１１で挙げられた素材等を用いることができる。また、紐体の本数は、図１に置いては１本であるが、後述する第２の実施の形態のように、同一の長さの紐体が２本あってもよく、肩掛け用、手提げ用に長さの異なる紐体が２本あってもよく、必要に応じてそれ以上の本数の紐体があってもよい。
【００１８】
肩当て部材１３の長さ、幅、厚さは、本考案の効果が発揮されるものであれば、特に制限はない。肩当て部材１３の幅は、紐体１２の幅より大きければよく、長さ、厚さとともに、肩当て部材として、肩への食い込みを防止するように、また、カバー部材として、バッグ本体１１の開口部をカバーするように、バッグの用途、デザイン等に応じて適宜設計することができる。肩当て部材１３の材質についても、本考案の効果が発揮されるものであれば、特に制限はない。肩への食い込みを防止するため、少なくとも肩に当たる部分は、柔軟性、及び弾性を有する素材が好ましい。例えば、革；合皮；ポリ塩化ビニル等の合成樹脂；紙；綿、麻、化学繊維等からなる織物；フェルト等の不織布、これらの組み合わせ、これらの素材からなる外装部に中綿を詰めたもの等が挙げられる。肩に当たらない部分は、金属やアクリル等の硬質樹脂等の硬い素材を用いてもよい。肩当て部材の形状、構造については、後述の肩当て部材の実施の形態の説明において詳述する。
【００１９】
（第２の実施の形態）
図２は、本考案のバッグの第２の実施形態を説明する斜視図であり、図２（ａ）は、バッグの紐体を肩に掛けて使用する状態を示し、図２（ｂ）は、紐体を肩から外して使用する状態を示す。図２におけるバッグ２０は、上部に開口部を有し、前胴部２１Ａ、及び後胴部２１Ｂするバッグ本体２１、バッグ本体２１の開口部端縁の前胴部２１Ａ側に両端部が接続された１本の紐体２２Ａ、バッグ本体２１の開口部端縁の後胴部２１Ｂ側に両端部が接続された１本の紐体２２Ｂ、並びに紐体２２Ａ及び２２Ｂに装着された、紐体２２Ａ及び２２Ｂの幅より広い幅を有する肩当て部材２３を備える。肩当て部材２３は、図２（ａ）に示す通り、紐体２２Ａ及び２２Ｂを肩に掛けて使用する際は、紐体２２Ａ及び２２Ｂの中央部、すなわち紐体２２Ａ及び２２Ｂが肩に当たる位置にスライドさせることで、肩当て部材として機能し、図２（ｂ）に示す通り、紐体２２Ａ及び２２Ｂを肩から外して使用する際は、紐体２２Ａ及び２２Ｂの両端部近傍、すなわちバッグ本体の開口部近傍にスライドさせることで、バッグ本体１１の開口部をカバーするカバー部材として機能する。
【００２０】
図２においては、肩当て部材２３は、幅広面に２個の貫通部を有し、紐体２２Ａ及び２２Ｂの中央部が、肩当て部材２３の上方に位置し、紐体２２Ｂの中央部から延在する両延在部が、肩当て部材２３の２個の貫通部にそれぞれ挿通しており、紐体２２Ａの中央部から延在する一方の延在部は、肩当て部材２３の一方の貫通部に挿通しており、他方の延在部は、肩当て部材２３の貫通部には挿通していない。肩当て部材２３の紐体２２Ａ及び２２Ｂへの装着は、紐体２２Ａ及び２２Ｂの中央部から両端部近傍までスライド可能に装着されていれば、図２に示した装着手段でなくてもよい。上述の第１の実施の形態で説明したように、肩当て部材２３の外側に接続した２個の革製リング（革紐を含む）、樹脂性リング、カラビナ様の金具等で、紐体２２Ａ及び２２Ｂに装着することもできる（図示していない）。また、図２においては、紐体２２Ａの中央部から延在する一方の延在部は、肩当て部材２３の貫通部の一方には相通していないが、紐体２２Ａの中央部から延在する両延在部も、紐体２２Ｂと同様に、肩当て部材２３の２個の貫通部のそれぞれに挿通していてもよく、紐体２２Ａの中央部から延在する両延在部のいずれも肩当て部材２３に相通していなくてもよい。また、バッグ２０が、肩当て部材２３とは別の肩当て部材を備え、紐体２２Ａと紐体２２Ｂのそれぞれに、第１の実施の形態と同様に肩当て部材が装着されていてもよい。部材の点数を増やさない点で、図２に示したように、肩当て部材は１個であることが好ましく、肩当て部材２３の少なくとも１個の貫通部に、紐体２２Ａ及び２２Ｂの両方が挿通されていることがさらに好ましい。これにより、図２（ａ）に示した用に、肩当て部材として使用する際の位置あわせが容易になる上、図２（ｂ）に示したように、肩当て部材２３を紐体２２Ａ及び２２Ｂの両端部近傍、すなわちバッグ本体２１の開口部近傍にスライドさせることで、紐体２２Ａ及び２２Ｂが、少なくともその一方の端部近傍で密着することになり、肩当て部材２３により、バッグ本体２１の開口部をカバーするだけでなく、開口部を閉じる効果も得られる。
【００２１】
後述の肩当て部材の実施の形態で詳述するが、図２で示した肩当て部材２３の貫通部の１個（紐体２２及び２２Ｂの延在部の両方が挿通している貫通部）は、紐体２２Ａ及び２２Ｂの幅方向から着脱可能な構造を有している。これにより、肩当て部材２３を、紐体２２Ａ及び２２Ｂの一方の延在部から外すことができ、図２（ｂ）で示したようなカバー部材として使用している状態から、容易にバッグ本体２１の開口部を開放し、収容物を確認したり、取り出したりすることができる。バッグ本体、紐体、及び肩当て部材のその他の形態については、第１の実施の形態で説明した通りである。
【００２２】
図３は、上記第２の実施の形態の変形例を説明する斜視図である。図３におけるバッグ３０は、図２の場合と同様に、上部に開口部を有し、前胴部３１Ａ、及び後胴部３１Ｂするバッグ本体３１、バッグ本体３１の開口部端縁の前胴部３１Ａ側に両端部が接続された１本の紐体３２Ａ、バッグ本体３１の開口部端縁の後胴部３１Ｂ側に両端部が接続された１本の紐体３２Ｂ、並びに紐体３２Ａ及び３２Ｂに装着された、紐体３２Ａ及び３２Ｂの幅より広い幅を有する肩当て部材３３を備える。ただし、図３においては、バッグ本体３１が柔軟性の高い材質で作られている。このような場合、肩当て部材３３は、図３に記載したように、肩当てとしての柔軟性、及び弾性だけでなく、カバー部材として使用する際に、バッグ本体にフィットする柔軟性を有していることが好ましい。
【００２３】
（肩当て部材の実施の形態）
図４は、本考案のバッグにおける肩当て部材の実施の形態を説明する平面図である。図４（ａ）の肩当て部材は、全体が柔軟性、及び弾性のある素材からなり、幅広面に２個の貫通部Ｐ１、及びＰ２を有している。そして、Ｐ１は切り込み部を有することにより、紐体の幅方向から着脱可能な構造になっている。また、図４（ｂ）の肩当て部材は、図４（ａ）の場合と同様に、全体が柔軟性、及び弾性のある素材からなり、上段の図の通り、幅広面に２個の貫通部Ｐ１、及びＰ２を有しており、Ｐ１は切り込み部を有することにより、紐体の幅方向から着脱可能な構造になっている。そして、サポート部Ｓが、下段の図のように、Ｐ１の切り込み部に重なるように、且つ切り込み部が開閉可能になるように肩当て部材本体に接着、又は縫い付けられている。これにより、貫通部Ｐ１の切り込み部を補強することができ、紐体を装着した際に、外れ難い構造とすることができる。また、図４（ｃ）の肩当て部材は、少なくとも肩当て部材本体は、柔軟性、及び弾性のある素材からなり、上段の図の通り、幅広面に２個の貫通部Ｐ１、及びＰ２を有しており、Ｐ１、及びＰ２の両方に切り込み部を有することにより、紐体の幅方向から着脱可能な構造になっている。そして、フック部Ｈ１、及びＨ２が、カシメ部Ｋ１、及びＫ２によって、それぞれ回転可能に接続されている。下段の図のように、Ｈ１、及びＨ２を貫通部Ｐ１、及びＰ２の切り込み部に重ねることで、紐体を装着した際に、外れ難い構造とすることができる。カシメ部Ｋ１、及びＫ２の材質は特に制限はないが、通常、金属製であり、フック部Ｈ１、及びＨ２は、肩当て部材本体と同様な素材であってもよく、金属やアクリル等の硬質樹脂製等の硬い素材であってもよい。
【００２４】
肩当て部材の形状、構造は、本考案の効果が発揮されるものであれば、図４（ａ）〜（ｃ）の形状、構造に限らず、どのようなものでもよい。例えば、貫通部Ｐ１、及びＰ２のいずれにも切り込み部がなく、着脱可能な構造になっていなくてもよい。ただし、上述の通り、カバー部材として使用している状態から、容易にバッグ本体の開口部を開放し、収容物を確認したり、取り出したりすることができる点で、図４（ａ）〜（ｃ）のように、貫通部の少なくとも１個は、紐体の幅方向から着脱可能な構造になっていることが好ましい。また、肩当て部材の貫通部は、少なくとも２個あればよく、紐体を装着する位置を変更できるように、２個より多くあってもよい。
【００２５】
図５は、本考案のバッグにおいて、肩当て部材を、肩当て部材としても、カバー部材としても使用していない状態のバリエーションを説明する斜視図である。図５においては、肩当て部材４３Ａは、図４（ｂ）と同様な構造であり、一方の貫通部を紐体から外し、他方の貫通部は、紐体から外さずに、バッグ本体の外側に垂らして、チャームになるようにデザインされている。また、肩当て部材４３Ｂは、図４（ａ）、又は（ｂ）と同様な構造であり、一方の貫通部を紐体から外し、他方の貫通部は、紐体から外さずに、バッグ本体の内側に垂らし、バッグのデザインに影響を与えないようにしている。また、肩当て部材４３Ｃは、図４（ｃ）と同様な構造であり、両方の貫通部を、紐体から外し、バッグ本体内に収容するか、別途所持することで、バッグのデザインに影響を与えないようにしている。
【００２６】
なお、本考案は上記の実施の形態の構成に限定されるものではなく、考案の要旨の範囲内で種々変形が可能である。
【産業上の利用可能性】
【００２７】
本考案によれば、バッグの紐体の肩への食い込みを防止する機能だけでなく、バッグの開口部をカバーする機能も有する肩当て部材により、デザインに大きな影響を与える部材の数を最小限にして、両方の機能を有するバッグを提供することができる。
【符号の説明】
【００２８】
１０、２０、３０                                バッグ
１１、２１、３１                                バッグ本体
２１Ａ、３１Ａ                                  前胴部
２１Ｂ、３１Ｂ                                  後胴部
１２、２２Ａ、２２Ｂ、３２Ａ、３２Ｂ            紐体
１３、２３、３３、４３Ａ、４３Ｂ、４３Ｃ        肩当て部材
Ｐ１、Ｐ２                                      貫通部
Ｓ                                              サポート部
Ｈ１、Ｈ２                                      フック部
Ｋ１、Ｋ２                                      カシメ部
【図１】
0003208153.tif 000003
【図２】
0003208153.tif 000004
【図３】
0003208153.tif 000005
【図４】
0003208153.tif 000006
【図５】
0003208153.tif 000007
【手続補正書】
【提出日】平成28年10月26日(2016.10.26)
【手続補正１】
【補正対象書類名】実用新案登録請求の範囲
【補正対象項目名】全文
【補正方法】変更
【補正の内容】
【実用新案登録請求の範囲】
【請求項１】
上部に開口部を有するバッグ本体、前記バッグ本体の開口部端縁に両端部が接続された少なくとも１本の紐体、及び前記少なくとも１本の紐体に装着された、前記紐体の幅より広い幅を有する少なくとも１個の肩当て部材を備えるバッグであって、
前記肩当て部材が、前記少なくとも１本の紐体の中央部から両端部近傍までスライド可能に装着されていることを特徴とするバッグ。
【請求項２】
前記肩当て部材が、幅広面に少なくとも２個の貫通部を有し、
前記少なくとも１本の紐体の中央部が、前記肩当て部材の上方に位置し、
前記少なくとも１本の紐体の中央部から延在する両延在部が、前記肩当て部材の２個の貫通部のそれぞれに挿通している請求項１に記載のバッグ。
【請求項３】
前記肩当て部材の貫通部の少なくとも１個が、前記紐体の幅方向から着脱可能な構造を有する請求項２に記載のバッグ。
【請求項４】
前記バッグ本体が、前胴部、及び後胴部を有し、
前記前胴部、及び前記後胴部に、前記紐体を少なくとも１本ずつ備える請求項１〜３のいずれか１項に記載のバッグ。
【請求項５】
請求項１〜４のいずれか１項に記載のバッグに用いる肩当て部材であって、
前記肩当て部材が、幅広面に貫通部を有することを特徴とする肩当て部材。
【手続補正２】
【補正対象書類名】明細書
【補正対象項目名】００１１
【補正方法】変更
【補正の内容】
【００１１】
請求項５に係わる考案は、請求項１〜４のいずれか１項に記載のバッグに用いる肩当て部材であって、前記肩当て部材が、幅広面に貫通部を有することを特徴とする肩当て部材である。